(57)【要約】【課題】  背当て部に沿わせて折り畳んだシャツの裾部が背当て部から浮き上がってしまうのを防止して包装袋に入れ易いばかりか別途、帯留などの余計な部品の装着も不要なシャツ折り畳み形状維持具を提供する。【解決手段】  シャツ２の後身頃２１の上部に当てられる上下に長手の略長方形状の背当て部１１と、前記背当て部１１の上端に首部１２を介して連設されるとともに前記首部１２を基点として背面側に折り返される裾固定部１３を形成した保持板部１５を備えており、前記シャツ２の裾部２４を丈方向に折り返して、裾部２４が内側になったシャツ２の折り返し上部を前記保持板部１５に固定するシャツ折り畳み形状維持具１において、前記保持板部１５を折り返し部１４において背当て部１１の背面側に折り返したときに前記保持板部１５を前記背当て部１１に固定するための互いに係脱可能な係止手段３が前記背当て部１１と前記保持板部１５との間に形成されている。【選択図】図２
2019116281.tif 000002
【特許請求の範囲】
【請求項１】
シャツの後身頃の上部に当てられる上下に長手の略長方形状の背当て部と、前記背当て部の上端に首部を介して連設されるとともに前記首部を基点として背面側に折り返される裾固定部を形成した保持板部を備えており、前記背当て部をシャツの後身頃の上部に当てるとともにシャツを背当て部の左右の辺部に沿って幅方向に背当て部の背面側に折り返し、前記背当て部の背面側に位置した左右の袖を折り畳んで、前記シャツの幅方向に折り返された裾部を丈方向に折り返して、裾部が内側になったシャツの折り返し上部を前記保持板部に固定するシャツ折り畳み形状維持具であって、前記保持板部を背当て部の背面側に折り返したときに前記保持板部を前記背当て部に固定するための互いに係脱可能な係止手段が前記背当て部と前記保持板部との間に形成されていることを特徴とするシャツ折り畳み形状維持具。
【請求項２】
前記係止手段が前記保持板部を前記背当て部に折り返したときに両者が対向する位置にそれぞれ形成された係止部からなることを特徴とする請求項１記載のシャツ折り畳み形状維持具。
【請求項３】
前記係止手段が、前記背当て部と前記保持板部に形成した互いに係止可能な切り込み溝により形成されている係止部であることを特徴とする請求項１または２記載のシャツ折り畳み形状維持具。
【請求項４】
前記係止部が係止切り込みにより形成されることを特徴とする請求項３記載のシャツ折り畳み形状維持具。
【請求項５】
前記係止部が係止突起と係止凹部により形成されることを特徴とする請求項３記載のシャツ折り畳み形状維持具。
【発明の詳細な説明】
【技術分野】
【０００１】
本発明は、シャツを折り畳んだ状態で販売する際に、シャツの折り畳み形状を維持するために使用されるシャツ折り畳み形状維持具に関するものである。
【背景技術】
【０００２】
従来から、ワイシャツなどのような美麗な形態を特徴とするシャツは、装着した場合を想像できるような状態に折り畳んで透明の包装袋などに収容した状態で販売されており、シャツが皺にならず且つシャツの襟や袖の形態さらには生地や模様なども包装したままで確認でき、加えて商品価値が高まるだけでなく運搬、保管、展示などにも適しているという多くの利点を有している。
【０００３】
ところで、前記のように、折り畳んだ状態でシャツの形状を維持するために各種の形状の台紙や、襟整形部材などのシャツ折り畳み形状維持具が用いられている。
【０００４】
このようなシャツ折り畳み形状維持具としてはシャツ全体を支持する台紙や、折り畳んだ部位を固定するための硬質合成樹脂製のピンや、襟を美麗に整形するための板状或いは蝶ネクタイ状の襟整形部材など使用目的や使用部位に合わせて複数種類を適宜選択して用いられているものが多く見受けられる。
【０００５】
そのため、異なる材料のものを用いる場合には製造ルートも異なることもあり、発注、在庫の管理や組み立て作業などにも負担が生じることになる。
【０００６】
購入者も、使用時には材質や使用箇所が異なる各種のシャツ折り畳み形状維持具を一々取り外すとともに地域のゴミ処理手段によっては分別処理が必要な場合もあり、負担にもなっており、特に合成樹脂製のものは燃焼による環境汚染の問題もあり、ピンやクリップのような小さなパーツは小さな子供が誤って飲み込んでしまうという心配もある。
【０００７】
そこで、例えば実開昭５７−６７９７７号公報、特開２０１５−２０７７８号公報などに、硬質合成樹脂のピンや板材などを用いないばかりか簡単且つ短時間でシャツを折り畳んで折り畳み形状維持し、部品点数も少ない優れたシャツ折り畳み形状維持具が提示されている。
【０００８】
これらの公報に提示されているシャツ折り畳み形状維持具は、例えば図４および図５に示すように、ボール紙もしくは類似した厚紙（必要であれば裏面または表面を含めて表面加工してもよい）で形成されて、シャツ２の後身頃２１の上部に当てられる上下に長手の長方形状の背当て部１１と、背当て部１１の上端部に首部１２を介して連設された掛止窓である裾固定部１３が形成された保持板部１５とを備える。背当て部１１は、幅がシャツ２の幅の約２分の１強、長さがシャツ２の丈の約２分の１弱の寸法の略長方形の形状を有し、左右上辺はシャツ２５の左右上辺に沿った傾斜を有している。
【０００９】
以上の構成を有する従来のシャツ折り畳み形状維持具１は、先ず、図５（ａ）に示すようにボタンを掛けた状態のシャツの２の後身頃２１の上部にシャツ折り畳み形状維持具１の背当て部１１を中心位置に合わせて当てるとともに、図５（ｂ）に示すように、シャツ２の左右の一方の側、例えば左側を背当て部１１の左の辺部に沿って幅方向に背当て部１１の背面側に折り返し、背当て部１１の背面側に位置した左の袖２２を背当て部１１で折り畳み、同様に、シャツ２の他方の側の右側を背当て部１１の右の辺部に沿って幅方向に背当て部１１の背面側に折り返し、背当て部１１上で背面側に位置した右の袖２３を折り畳む。
【００１０】
次に、図５（ｃ）に示すように、保持板部１５を折り返し部１４において下方に折り曲げ反転させて前記シャツ折り畳み形状維持具１を保持板部１５が上方位置となるような姿勢でシャツ２の背面側に位置させ、折り畳まれたシャツ２の裾部２４をシャツ２の丈が背当て部１１のタテ方向の下部にあたる折り畳み位置２５，２６で裾部２４を丈方向に二つに折り返し、シャツ５の折り返し上端を背当て部２１の上端に位置している掛止窓である裾固定部１３に折り畳み位置２６を差し込み固定することで図５（ｄ）に示すように折り畳み、例えば透明のシートにより形成される包装袋に挿入されて（図示せず）保管、運搬或いは展示されて販売されている。
【先行技術文献】
【特許文献】
【００１１】
【特許文献１】実開昭５７−６７９７７号公報
【特許文献２】特開２０１５−２０７７８号公報
【発明の概要】
【発明が解決しようとする課題】
【００１２】
ところが、前記従来のシャツ折り畳み形状維持具１は、折り畳まれたシャツ２の裾部２４をシャツ２の丈が背当て部１１のタテ方向の下部にあたる折り畳み位置２５で丈方向に二つに折り返し、その折り返し上端を背当て部１１の上端に位置している保持板部１５の掛止窓である裾固定部１３に差し込み固定するだけであり、特に、前記裾固定部１３は折り返し部１４において下方向に折り畳んだだけである。
【００１３】
そのため、前記従来のシャツ折り畳み形状維持具１は、背当て部１１に沿わせて折り畳んだシャツ２の裾部２４が背当て部１１から浮き上がってしまうことで手にとって持ち上げたときにシャツの畳み具合が美しく見えにくいという欠点や包装袋に入れにくいなどの問題があり、例えば図５（ｃ），図５（ｄ）に示すように厚紙の帯留３を別途、巻回するなどの方策が必要であり、部品点数や包装工程が増えるという課題があった。
【００１４】
本発明は、前記従来の折り畳んだシャツ２の裾部２４を固定するシャツ折り畳み形状維持具１が有する前記問題点を解決するためになされたものであり、背当て部１１に沿わせて折り畳んだシャツ２の裾部２４が背当て部１１から浮き上がってしまうのを防止して包装袋に入れ易いばかりか別途、帯留などの余計な部品の装着も不要なシャツ折り畳み形状維持具を提供することを課題とする。
【課題を解決するための手段】
【００１５】
本発明は前記課題を解決するためになされたものであり、シャツの後身頃の上部に当てられる上下に長手の略長方形状の背当て部と、前記背当て部の上端に首部を介して連設されるとともに前記首部を基点として背面側に折り返される裾固定部を形成した保持板部を備えており、前記背当て部をシャツの後身頃の上部に当てるとともにシャツを背当て部の左右の辺部に沿って幅方向に背当て部の背面側に折り返し、前記背当て部の背面側に位置した左右の袖を折り畳んで、前記シャツの幅方向に折り返された裾部を丈方向に折り返して、裾部が内側になったシャツの折り返し上部を前記保持板部に固定するシャツ折り畳み形状維持具であって、前記保持板部を背当て部の背面側に折り返したときに前記保持板部を前記背当て部に固定するための互いに係脱可能な係止手段が前記背当て部と前記保持板部との間に形成されていることを特徴とする。
【００１６】
また、本発明において、前記係止手段が前記保持板部を前記背当て部に折り返したときに両者が対向する位置にそれぞれ形成された係止部からなることにより、前記保持板部を折り返すだけで位置合わせすることなく互いに係止することができる。
【００１７】
更に、前記係止部が、前記係止部が前記背当て部と前記保持板部に形成した切り込み溝による係止切り込みにより形成される場合には別途に係止部についての部品などを付加する必要がなくきわめて簡単且つ廉価に提供でき、廃棄についても問題を生じることがない。
【００１８】
殊に、前記係止手段が前記背当て部と前記保持板部に形成した互いに係止可能な切り込み溝により形成される係止部により形成される場合には別部品を必要とせず安価に且つ製造も容易で廃棄の点でも優れており、殊に、前記係止部が互いに係止可能な係止切り込み、或いは互いに係止可能な係止突起と係止凹部により形成される場合には係脱が容易且つ確実である。
【発明の効果】
【００１９】
本発明によると、前記従来のシャツ折り畳み形状維持具が有する背当て部に沿わせて折り畳んだシャツの裾部が背当て部から浮き上がってしまう欠点を解消してシャツの仕上がりをより美しく見せるばかりか包装袋にも入れ易く、別途、帯留などの余計な部品の装着も不要なシャツ折り畳み形状維持具を提供することができる。
【図面の簡単な説明】
【００２０】
【図１】本発明に係る好ましい実施の形態を示すものであり、（ａ）は正面図、（ｂ）は要部の拡大正面部分図、（ｃ）は保持板部を折り返し部において背当て部に向けて折り返した状態を示す拡大正面部分図。
【図２】図１に示した実施の形態の使用方法を示すものであり、（ａ）は折り畳むシャツに取り付ける状態を示す正面図、（ｂ）は折り畳んだシャツに取り付ける状態を示す正面図、（ｃ）は取り付けた状態を示す背面図、（ｄ）は取り付けた状態を示す正面図。
【図３】異なる実施の形態を示すものであり、ａ）は正面図、（ｂ）は要部の拡大正面部分図、（ｃ）は前記（ａ）において保持板部を折り返し部で背当て部に向けて折り返した状態を示す拡大正面部分図。
【図４】従来例を示す正面図。
【図５】図４に示した従来例の使用方法を示すものであり、（ａ）は折り畳むシャツに取り付ける状態を示す正面図、（ｂ）は折り畳んだシャツに取り付ける状態を示す正面図、（ｃ）は取り付けた状態を示す背面図、（ｄ）は取り付けた状態を示す正面図。
【発明を実施するための形態】
【００２１】
以下に、本発明の好ましい実施の形態について図面を参照して詳細に説明する。尚、前記図４および図５に示した従来例と同一構成部には同一符号を用いた。
【００２２】
図１および図２は本発明の好ましい実施の形態およびその使用方法を示すものであり、本発明であるシャツ折り畳み形状維持具１は前記従来例と同様に例えばいわゆるボール紙もしくは類似した厚紙（必要であれば裏面または表面を含めて表面加工してもよい）で形成されて、シャツ２の後身頃２１の上部に当てられる上下に長手の長方形状の背当て部１１と、背当て部１１の上端部に首部１２を介して連設された掛止窓である裾固定部１３が形成された保持板部１５とを備える。背当て部１１は、幅がシャツ２の幅の約２分の１強、長さがシャツ２の丈の約２分の１弱の寸法の略長方形の形状を有し、左右上辺はシャツ２の左右上辺に沿った傾斜を有している。
【００２３】
特に、本実施の形態では、前記保持板部１５を背当て部１１の背面側に折り返したときに前記保持板部１５を前記背当て部１１に固定するための係止手段を構成する係止部３を形成する互いに係止可能な切り込み溝による突起状の係止切り込み３１および前記係止切り込み３１が差し込まれる線状の係止切り込み３２が前記保持板部１５を折り返し部１４において折り返したときに両者が対向する位置にそれぞれ形成されている。
【００２４】
以上の構成を有する本実施の形態であるシャツ折り畳み形状維持具１を使用するには、前記従来例と同様に、まず、図２（ａ）に示すように背当て部１１をシャツ２の後身頃２１の上部に中心位置を合わせて当てるとともに、シャツ２の左右の一方の側、例えば左側を背当て部１１の左の辺部に沿って幅方向に背当て部１１の背面側に折り返し、背当て部１１の背面側に位置した一方側の袖２２を背当て部１１で折り畳み、同様に、図２（ｂ）に示すようにシャツ２の他方側の袖２３を背当て部１１の右の辺部に沿って幅方向に背当て部１１の背面側に折り返し、背当て部１１の背面側に位置した袖２２，２３を背当て部１１上で折り畳む。
【００２５】
次に、図１（ｃ）および図２（ｂ）に示すように、折り返し部３４において保持板部３３を下方に折り曲げ反転させ、更に、図２（ｂ）および図２（ｃ）に示すように、折り畳まれたて重ねたシャツ２の裾部２４をシャツ２の丈が背当て部１１のタテ方向の下部にあたる折り畳み位置２５で丈方向に二つに折り返し、そのシャツ２の折り返し上端の折り畳み位置２６を背当て部１１の上端に位置している掛止窓である裾固定部１３に差し込み固定する。
【００２６】
そして、特に、本実施の形態では前記保持板部１５を背当て部１１の背面側に折り返したときに前記保持板部１５を前記背当て部１１に固定するための係止手段を構成する係止部３を形成する互いに係止可能な切り込み溝による係止切り込み３１，３１および係止切り込み３２，３２が前記保持板部１５を折り返し部１４において折り返したときに両者が対向する位置にそれぞれ形成されているので、前記保持板部１５に形成されている係止切り込み３１を背当て部１１に形成されている係止切り込み３２にそれぞれ差し込み、シャツ２の裾部２４を固定した保持板部１５と背当て部１１とを係止して互いに固着させる。
【００２７】
そのため、前記折り畳んで裾固定部１３に固定したシャツ２の裾部２４が確実にシャツ２に巻回固定された背当て部１１に係止保持されることになり前記従来例のようなクリップや帯留などを必要としない。
【００２８】
また、本実施の形態では、前記係止手段を構成する係止部３を形成する切り込み溝による係止切り込み３１および係止切り込み３２は切り込み溝により形成されていることから形成が容易であり，例えば台紙からシャツ折り畳み形状維持具１を型抜きする際に一体に形成することも可能であり、更に、製造が簡単である。
【００２９】
尚、本実施の形態では、前記係止手段を構成する係止部３として前記保持板部１５に切り込み溝による突起状の係止切り込み３１を、前記背当て部１１に前記係止切り込み３１が差し込まれる線状の係止切り込み３２を形成したが、本実施の形態は、前記係止部３が切り込み溝による突起状の係止切り込み３１と前記係止切り込み３１が差し込まれる線状の係止切り込み３２により形成されればよく、何れを前記背当て部１１または前記保持板部１５に形成してもよく、また、形状も問わない。
【００３０】
また、図３は本発明の異なる実施の形態を示すものであり、全体の構成および使用方法は前記図１および図２に示した実施の形態とほぼ同様であるが、前記背当て部１１と前記保持板部１５とに形成される両者を保持させる切り込み溝による係止手段を構成する係止部３の形状が異なる。
【００３１】
更に詳細に説明すると本実施の形態は、前記係止切り込みによる係止部３が、前記背当て部１１と前記保持板部１５に形成した切り込み溝による係止突起３３と係止凹部３４により形成される点が異なる。
【００３２】
本実施の形態は、前記図１および図２に示した切り込み溝による係止部３に比べて係止操作が容易で且つ確実に係止する点が優れている。
【００３３】
加えて、本実施の形態に示したように、例えば係止突起３３における先端の幅を係止凹部３４の幅よりも拡設するなどのことにより更に強固な保持力を発揮させることができる。
【００３４】
尚、本実施の形態並びに前記図１および図２に記載した実施の形態は前記係止手段を構成する係止部３を前記背当て部１１および保持板部１５に形成した係止切り込みにより形成したことから製造が簡単で且つ廃棄の問題もないが、係止部３はこれに限るものでなく、例えば接着剤、面ファスナ、ボタンなど従来周知の係止手段を用いてもよいことは言うまでもない。
【符号の説明】
【００３５】
１  シャツ折り畳み形状維持具、２  シャツ、３  係止部、１１  背当て部、１２  首部、１３  裾固定部、１４  折り返し部、１５  保持板部、２１  後身頃、２２  左の袖、２３  右の袖、２４  裾部、２５  折り畳み位置、２６  折り畳み位置、３１，３２  係止切り込み、３３  係止突起、３４  係止凹部
【図１】
2019116281.tif 000003
【図２】
2019116281.tif 000004
【図３】
2019116281.tif 000005
【図４】
2019116281.tif 000006
【図５】
2019116281.tif 000007